【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
預かり品に対するサービスの売上データを処理する売上データ処理装置であって、
預かり品の識別情報を読み取る読取手段と、
前記読取手段によって読み取った前記識別情報に基づいて、当該識別情報に対応する前記預かり品に対するサービスが完了しているか否かを判別する判別手段と、
前記判別手段により、前記預かり品に対するサービスが完了していると判別された場合には、実行中の処理を中断して、当該預かり品の引渡処理を行う引渡手段と、
前記引渡手段による引渡処理の完了後に、元の処理に復帰する復帰手段と、
を備えることを特徴とする売上データ処理装置。
【請求項２】
預かり品に対するサービスの売上データを処理する売上データ処理装置であって、
預かり品の識別情報を読み取る読取手段と、
前記読取手段によって読み取った前記識別情報に基づいて、当該識別情報に対応する前記預かり品が引渡可能であるか否かを判別する判別手段と、
前記判別手段により、前記預かり品が引渡可能であると判別された場合には、実行中の処理を中断して、当該預かり品の引渡処理を行う引渡手段と、
前記引渡手段による引渡処理の完了後に、元の処理に復帰する復帰手段と、
を備えることを特徴とする売上データ処理装置。
【請求項３】
前記判別手段により、前記識別情報がいずれの預かり品にも対応付けられていないと判別された場合には、前記識別情報を新たに預かり品に対応付けて登録する登録手段を更に有する、
ことを特徴とする請求項１または２に記載の売上データ処理装置。
【請求項４】
前記登録手段は更に、登録した前記預かり品のための引渡伝票に、当該預かり品に新たに対応付けられた前記識別情報を印刷部に印刷させる、
ことを特徴とする請求項３に記載の売上データ処理装置。
【請求項５】
前記引渡伝票に印刷される識別情報は、各預かり品に添付されたタグの識別情報と同一である、
ことを特徴とする請求項４に記載の売上データ処理装置。
【請求項６】
前記引渡伝票に印刷される識別情報は、各預かり品に添付されたタグの識別情報に対応付けられている、
ことを特徴とする請求項４に記載の売上データ処理装置。
【請求項７】
前記引渡伝票に印刷される識別情報は、各預かり品を預けた顧客の識別情報であり、当該顧客の識別情報は各預かり品に添付されたタグの識別情報に対応付けられている、
ことを特徴とする請求項４に記載の売上データ処理装置。
【請求項８】
前記引渡手段は、前記登録手段による処理中に前記読取手段が識別情報を読み取り、前記判別手段により前記預かり品に対するサービスが完了していると判別された場合、または、前記判別手段により前記預かり品が引渡可能であると判別された場合には、実行中の前記登録手段による処理を中断し、
前記復帰手段は、前記引渡手段による引渡処理の完了後に、前記登録手段による元の処理に復帰する、
ことを特徴とする請求項３ないし請求項７のいずれか１項に記載の売上データ処理装置。
【請求項９】
前記登録手段により新たに預かり品を登録するための登録画面を表示部に表示させる表示制御手段、を更に備え、
前記表示制御手段は、前記引渡手段による引渡処理が行われた際に、前記登録画面に重畳させて前記引渡処理が行われている旨を示す通知を前記表示部に表示させる、
ことを特徴とする請求項３ないし請求項８のいずれか１項に記載の売上データ処理装置。
【請求項１０】
前記登録手段により新たに預かり品を登録するための登録画面を表示部に表示させる表示制御手段、を更に備え、
前記表示制御手段は、前記引渡手段による引渡処理が行われた際に、前記登録画面に重畳させて前記引渡処理が完了したか否かを確認するための確認ボタンを前記表示部に表示させる、
ことを特徴とする請求項３ないし請求項８のいずれか１項に記載の売上データ処理装置。
【請求項１１】
預かり品の識別情報を読取手段により読み取る読取ステップと、
前記読取手段によって読み取った前記識別情報に基づいて、当該識別情報に対応する前記預かり品に対するサービスが完了しているか否かを判別する判別ステップと、
前記判別ステップにより、前記預かり品に対するサービスが完了していると判別した場合には、実行中の処理を中断して、当該預かり品を引き渡す引渡ステップと、
前記引渡ステップによる引渡処理の完了後に、元の処理に復帰する復帰ステップと、
を有することを特徴とする売上データ処理方法。
【請求項１２】
預かり品の識別情報を読取手段により読み取る読取ステップと、
前記読取手段によって読み取った前記識別情報に基づいて、当該識別情報に対応する前記預かり品が引渡可能であるか否かを判別する判別ステップと、
前記判別ステップにより、前記預かり品が引渡可能であると判別した場合には、実行中の処理を中断して、当該預かり品を引き渡す引渡ステップと、
前記引渡ステップによる引渡処理の完了後に、元の処理に復帰する復帰ステップと、
を有することを特徴とする売上データ処理方法。
【請求項１３】
コンピュータを、
預かり品の識別情報を読み取る読取手段、
前記読取手段によって読み取った前記識別情報に基づいて、当該識別情報に対応する前記預かり品に対するサービスが完了しているか否かを判別する判別手段、
前記判別手段により、前記預かり品に対するサービスが完了していると判別された場合には、実行中の処理を中断して、当該預かり品の引渡処理を行う引渡手段、
前記引渡手段による引渡処理の完了後に、元の処理に復帰する復帰手段、
として機能させることを特徴とするプログラム。
【請求項１４】
コンピュータを、
預かり品の識別情報を読み取る読取手段、
前記読取手段によって読み取った前記識別情報に基づいて、当該識別情報に対応する前記預かり品が引渡可能であるか否かを判別する判別手段、
前記判別手段により、前記預かり品が引渡可能であると判別された場合には、実行中の処理を中断して、当該預かり品の引渡処理を行う引渡手段、
前記引渡手段による引渡処理の完了後に、元の処理に復帰する復帰手段、
として機能させることを特徴とするプログラム。
【手続補正２】
【補正対象書類名】明細書
【補正対象項目名】発明の名称
【補正方法】変更
【補正の内容】
【発明の名称】売上データ処理装置、売上データ処理方法およびプログラム
【手続補正３】
【補正対象書類名】明細書
【補正対象項目名】０００６
【補正方法】変更
【補正の内容】
【０００６】
上記課題を解決するため、本発明の売上データ処理装置は、
預かり品に対するサービスの売上データを処理する売上データ処理装置であって、
預かり品の識別情報を読み取る読取手段と、
前記読取手段によって読み取った前記識別情報に基づいて、当該識別情報に対応する前記預かり品に対するサービスが完了しているか否かを判別する判別手段と、
前記判別手段により、前記預かり品に対するサービスが完了していると判別された場合には、実行中の処理を中断して、当該預かり品の引渡処理を行う引渡手段と、
前記引渡手段による引渡処理の完了後に、元の処理に復帰する復帰手段と、
を備えることを特徴とする。
また、上記課題を解決するため、本発明の売上データ処理装置は、
預かり品に対するサービスの売上データを処理する売上データ処理装置であって、
預かり品の識別情報を読み取る読取手段と、
前記読取手段によって読み取った前記識別情報に基づいて、当該識別情報に対応する前記預かり品が引渡可能であるか否かを判別する判別手段と、
前記判別手段により、前記預かり品が引渡可能であると判別された場合には、実行中の処理を中断して、当該預かり品の引渡処理を行う引渡手段と、
前記引渡手段による引渡処理の完了後に、元の処理に復帰する復帰手段と、
を備えることを特徴とする。